(57)【特許請求の範囲】
【請求項１】
複数の通信システムの中から１つを選択し、無線通信を行う通信端末であって、
第１のアンテナを介して前記複数の通信システムのうちの１つと信号を送受信する第１の通信部と、
第２のアンテナを介して前記複数の通信システムのうちの１つから信号を受信する第２の通信部と、
前記第１の通信部および前記第２の通信部のそれぞれにおいて使用する通信システムを切り替えるものであって、
前記第１の通信部により第１の通信システムを待ち受けている際に別の通信システムを選択する場合、前記第２の通信部が前記第１の通信システムを待ち受け、前記第１の通信部において前記第１の通信システムより優先する第２の通信システムの捕捉を行い、当該第２の通信システムの捕捉に成功した場合、前記第２の通信部における前記第１の通信システムの待ち受けを終了する制御部と、を備えることを特徴とする通信端末。
【請求項２】
複数の通信システムの中から１つを選択し、無線通信を行う通信端末であって、
第１のアンテナを介して前記複数の通信システムのうちの１つと信号を送受信する第１の通信部と、
第２のアンテナを介して前記複数の通信システムのうちの１つから信号を受信する第２の通信部と、
前記第１の通信部および前記第２の通信部のそれぞれにおいて使用する通信システムを切り替えるものであって、
前記第１の通信部により第１の通信システムを待ち受けている際に別の通信システムを選択する場合、前記第１の通信部が前記第１の通信システムの待ち受けを継続し、前記第２の通信部において前記第１の通信システムより優先する第２の通信システムの捕捉を行い、当該第２の通信システムの捕捉に成功した場合、前記第１の通信部における前記第１の通信システムの待ち受けを終了する制御部と、を備えることを特徴とする通信端末。
【請求項３】
前記第２の通信システムの捕捉に成功した場合に、前記第１の通信部において、前記第２の通信システムの待ち受けを開始することを特徴とする請求項１または請求項２に記載の通信端末。
【請求項４】
前記第２の通信システムの捕捉に失敗した場合に、前記第１の通信部において、前記第１の通信システムの待ち受けを行うことを特徴とする請求項１または請求項２に記載の通信端末。
【請求項５】
前記第１の通信システムの待ち受け中に、送受信要求の着信があった場合、前記第１の通信システムにおける着信処理を、前記第１の通信部にて行うことを特徴とする請求項１から請求項４のいずれか１項に記載の通信端末。
【発明の詳細な説明】
【技術分野】
【０００１】
本発明は、複数の通信システムと無線通信を行う通信端末に関する。
【背景技術】
【０００２】
従来、携帯電話等の無線通信端末においては、複数の通信システム（例えば、周波数帯や基地局が異なる）の中から１つを選択し、同期を確立することにより通信を行っている。ここで、複数の通信システムには優先順位があるため、無線通信端末は、より優先順位の高い通信システムとの通信を行うための方策をとる。
【０００３】
例えば、リセレクションを実施する無線通信端末は、非優先システムとの同期が確立して待ち受け状態にある場合に、より優先順位の高い通信システムの捕捉を一定の時間周期により試みる。その際、他の基地局から到来する信号の受信品質が良好であれば、この優先システムに対して同期を確立し待ち受け状態に移行する。
【０００４】
また、近年、無線通信端末においては、メインアンテナに加えてサブアンテナを有するものが多種登場しており、ＳＨＤＲ（Ｓｉｍｕｌｔａｎｅｏｕｓ  Ｈｙｂｒｉｄ  Ｄｕａｌ  Ｒｅｃｅｉｖｅ）機能により、メインアンテナとは別のチャネル（例えば、音声通信の待ち受けページングチャネル）をサブアンテナにて受信する方法がとられるようになってきている。
【０００５】
例えば特許文献１では、２つのアンテナで同時に別々のチャネルを捕捉し、受信した２つのチャネルのうち受信感度の良い方のチャネルを用いて通信を行うモジュールが開示されている。
【特許文献１】特開２００５−１８４３５５号公報
【発明の開示】
【発明が解決しようとする課題】
【０００６】
しかしながら、上述のように２つのアンテナを備える無線通信端末においては、サブアンテナは、メインアンテナの補助であって、ダイバーシティ受信や、ＥＶ−ＤＯ（Ｅｖｏｌｕｔｉｏｎ  Ｄａｔａ  Ｏｎｌｙ）受信中に着信（ＣＤＭＡ２０００＿１ｘ）待ち受けを行う等、用途が限定されているのが現状である。
【０００７】
ここで、上述のリセレクション動作中においては、従来、メインアンテナにて優先システムの捕捉を行っている。そのため、リセレクションの開始前に待ち受け中であった非優先システムとの同期が途切れてしまっていた。したがって、一時的に通信不能な圏外状態となるため、このようなリセレクション中の圏外状態を回避するための方法が望まれている。
【０００８】
そこで本発明は、サブアンテナを有効利用することにより、このような圏外状態となる時間を短縮し、待ち受け動作を継続しつつ、リセレクションを行える無線通信端末を提供することを目的とする。
【課題を解決するための手段】
【０００９】
本発明に係る無線通信端末は、複数の通信システムの中から１つを選択し、無線通信を行う通信端末であって、第１のアンテナを介して前記複数の通信システムのうちの１つと信号を送受信する第１の通信部と、第２のアンテナを介して前記複数の通信システムのうちの１つから信号を受信する第２の通信部と、前記第１の通信部および前記第２の通信部のそれぞれにおいて使用する通信システムを切り替えるものであって、前記第１の通信部により第１の通信システムを待ち受けている際に別の通信システムを選択する場合、前記第２の通信部が前記第１の通信システムを待ち受け、前記第１の通信部において前記第１の通信システムより優先する第２の通信システムの捕捉を行い、当該第２の通信システムの捕捉に成功した場合、前記第２の通信部における前記第１の通信システムの待ち受けを終了する制御部と、を備えることを特徴とする。
【００１０】
また、本発明に係る無線通信端末は、複数の通信システムの中から１つを選択し、無線通信を行う通信端末であって、第１のアンテナを介して前記複数の通信システムのうちの１つと信号を送受信する第１の通信部と、第２のアンテナを介して前記複数の通信システムのうちの１つから信号を受信する第２の通信部と、前記第１の通信部および前記第２の通信部のそれぞれにおいて使用する通信システムを切り替えるものであって、前記第１の通信部により第１の通信システムを待ち受けている際に別の通信システムを選択する場合、前記第１の通信部が前記第１の通信システムの待ち受けを継続し、前記第２の通信部において前記第１の通信システムより優先する第２の通信システムの捕捉を行い、当該第２の通信システムの捕捉に成功した場合、前記第１の通信部における前記第１の通信システムの待ち受けを終了する制御部と、を備えることを特徴とする。
【００１１】
また、無線通信端末において、前記第２の通信システムの捕捉に成功した場合に、前記第１の通信部において、前記第２の通信システムの待ち受けを開始することが好ましい。
【００１２】
また、無線通信端末において、前記第２の通信システムの捕捉に失敗した場合に、前記第１の通信部において、前記第１の通信システムの待ち受けを行うことが好ましい。
【００１３】
また、無線通信端末において、前記第１の通信システムの待ち受け中に、送受信要求の着信があった場合、前記第１の通信システムにおける着信処理を、前記第１の通信部にて行うことが好ましい。
【発明の効果】
【００１４】
本発明によれば、待ち受け動作を継続しつつ、リセレクションを行える無線通信端末を提供できる。
【発明を実施するための最良の形態】
【００１５】
本発明に係る好適な実施形態の一例について、図面に基づいて以下に説明する。なお、以下、無線通信端末として携帯電話機について説明するが、本発明はこれに限定されるものではなく、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であってもよい。
【００１６】
［携帯電話機１の構造］
図１から図３により、携帯電話機１における基本構造を説明する。図１は、携帯電話機１を開いた状態（第１開状態）における正面図を示す。また、図２（Ａ）は、携帯電話機１を開いた状態における左側面図を示し、図２（Ｂ）は、携帯電話機１を開いた状態における右側面図を示す。また、図３は、携帯電話機１を開いた状態における背面図を示す。
【００１７】
携帯電話機１は、操作部側筐体２と、表示部側筐体３とを備える。操作部側筐体２と表示部側筐体３とは２軸ヒンジ機構を備える連結部４を介して連結され、該携帯電話機１を開状態および閉状態に変形可能とすると共に、開状態および閉状態それぞれにおいて表示部側筐体３を表状態と裏状態とに切り替えることができる。
【００１８】
ここで、閉状態とは、両筐体が互いに重なるように配置された状態であり、開状態とは、両筐体が互いに重ならないように配置された状態をいう。そして、開状態における表状態とは、後述する表示部側筐体３における表面３ａに配置されるメインディスプレイ３０と、操作部側筐体２におけるフロントケース２ａに配置される操作キー群１１とが同じ側を向くように配置された状態であり、裏状態とは、表示部側筐体３におけるメインディスプレイ３０と操作部側筐体２における操作キー群１１とが反対側を向くように配置された状態をいう。また、閉状態における表状態とは、表示部側筐体３におけるメインディスプレイ３０が操作部側筐体２における操作キー群１１に対向するように配置された状態であり、閉状態における裏状態とは、表示部側筐体３におけるメインディスプレイ３０が操作部側筐体２における操作キー群１１と対向せずに表出した状態である。
【００１９】
操作部側筐体２は、外面がフロントケース２ａとリアケース２ｂにより構成される。この操作部側筐体２は、フロントケース２ａ側に、操作キー群１１と、携帯電話機１の使用者が通話時に発した音声が入力される音声入力部（マイク）１２とがそれぞれ露出するように構成される。ここで、操作キー群１１は、各種設定や電話帳機能やメール機能等の各種機能を作動させるための機能設定操作キー１３と、電話番号の数字やメール等の文字等を入力するための入力操作キー１４と、各種操作における決定や上下左右方向のスクロール等を行う決定操作キー１５と、から構成されている。また、マイク１２は、操作部側筐体２の長手方向における連結部４側とは反対の外端部側に配置される。つまり、マイク１２は、携帯電話機１が開状態において一方の外端部側に配置される。
【００２０】
操作キー群１１を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２１】
操作部側筐体２における一方の側面には、図２（Ａ）に示すように、外部機器（例えば、ホスト装置）とデータの送受信を行うためのインターフェース１６と、ヘッドホン／マイク端子１７と、着脱可能な外部メモリのインターフェース１８と、バッテリを充電するための充電端子１９とが設けられている。なお、インターフェース１６、ヘッドホン端子／マイク端子１７およびインターフェース１８は、不使用時において着脱可能な防塵対策用のキャップで覆われている。
【００２２】
操作部側筐体２における他方の側面には、図２（Ｂ）に示すように、一対のサイドキー２０と、撮像時に使用される操作キー２１と、電波の受信角度を調整可能な放送波受信用のアンテナ２２とが配置される。このサイドキー２０には、操作部側筐体２と表示部側筐体３との開閉状態や表裏状態等の変形状態や、起動されているアプリケーションの種類に応じて所定の機能が割り当てられる（キー・アサイン）。ここで、上述と同様に、サイドキー２０が使用者により押圧されることで、携帯電話機１においてサイドキー２０に割り当てられている機能に応じた動作が実行される。
【００２３】
操作部側筐体２のリアケース２ｂには、図３に示すように、被写体を撮像するカメラ２３と、被写体に光を照射するライト２４とが露出して配置される。このカメラ２３とライト２４とは、操作部側筐体２における連結部４側に配置される。また、操作部側筐体２におけるリアケース２ｂには、詳細は後述するバッテリの収容部にバッテリを装着するための開口部が形成されると共に、該開口部を塞ぐようにバッテリーリッド２５が配置される。
【００２４】
また、操作部側筐体２の上端部と表示部側筐体３の下端部とは、図１から図３に示すように、２軸ヒンジ機構を備える連結部４を介して連結される。連結部４における一方の面（裏面）には、図３に示すように、副操作キー群３３が該携帯電話機１の幅方向（短手方向）において一列に並んで配置される。この副操作キー群３３を構成する各キーそれぞれには、操作部側筐体２と表示部側筐体３との開閉状態や表裏状態等の変形状態や、起動されているアプリケーションの種類に応じて所定の機能が割り当てられる（キー・アサイン）。携帯電話機１において、操作キー群１１を構成する各キーが使用者により押圧されることで、各キーに割り当てられている機能に応じた動作が実行される。
【００２５】
また、表示部側筐体３は、外面がフロントケース３ａとリアケース３ｂにより構成される。表示部側筐体３におけるフロントケース３ａには、図１に示すように、各種情報を表示するための所定形状のメインディスプレイ３０と、通話の相手側における音声を出力する音声出力部（スピーカ）３１とが露出するように配置される。ここで、スピーカ３１は、表示部側筐体３の長手方向における連結部４とは反対の外端部側に配置される。つまり、スピーカ３１は、携帯電話機１が開状態において他方の端部側に配置される。
【００２６】
また、表示部側筐体３のリアケース３ｂには、図３に示すように、各種情報を表示するためのサブディスプレイ３２が露出して配置される。メインディスプレイ３０およびサブディスプレイ３２それぞれは、液晶パネルと、この液晶パネルを駆動する駆動回路と、この液晶パネルの背面側から光を照射するバックライト等の光源部とから構成される。
【００２７】
なお、本実施形態においては、連結部４により折り畳み可能な携帯電話機１の説明をしているが、折り畳み式ではなく、操作部側筐体２と表示部側筐体３とを重ね合わせた状態から一方の筐体を一方向にスライドさせるようにしたスライド式や、操作部側筐体２と表示部側筐体３との重ね合せ方向に沿う軸線を中心に一方の筐体を回転させるようにした回転式（ターンタイプ）や、操作部側筐体２と表示部側筐体３とが１つの筐体に配置され連結部を有さない型式（ストレートタイプ）でもよい。
【００２８】
［携帯電話機１の機能ブロック図］
図４は、本発明の好適な実施形態の一例に係る携帯電話機１の各機能を表すブロック図である。
【００２９】
携帯電話機１は、信号の送受信が可能なメイン通信部（第１の通信部）４０、信号の受信が可能なサブ通信部（第２の通信部）５０、およびＣＰＵ（制御部）６０を備えている。これらが協働することにより、携帯電話機１は、複数の通信システムの中から１つを選択し、音声やデータの通信を行う。
【００３０】
ここで、通信システムとは、例えば、携帯電話機１の使用可能な通信方式における、適合した周波数のことを指す。携帯電話機１は、複数の周波数帯での無線信号の送受信が可能であり、具体的には、旧８００ＭＨｚ帯、新８００ＭＨｚ帯、２ＧＨｚ帯を用いた通信が可能である。
【００３１】
なお、上述のそれぞれ異なる周波数帯の通信システムには、基地局と携帯電話機１との間で周波数帯を識別するための識別番号として、３ＧＰＰ２（３ｒｄ  Ｇｅｎｅｒａｔｉｏｎ  Ｐａｒｔｎｅｒｓｈｉｐ  Ｐｒｏｊｅｃｔ２）で規定されたバンドクラス（Ｂａｎｄ  Ｃｌａｓｓ）と呼ばれるコードが付与されている。
【００３２】
例えば、１つの基地局から携帯電話機１に報知される情報のうち近隣基地局リスト（Ｎｅｉｇｈｂｏｒ  Ｌｉｓｔ）等において、携帯電話機１の周辺に存在する通信システムを携帯電話機１に報知する等のためにこのバンドクラスが使用される。なお、旧８００ＭＨｚ帯はバンドクラス３、新８００ＭＨｚ帯はバンドクラス０、２ＧＨｚ帯はバンドクラス６にそれぞれ分類されている。
【００３３】
また、各バンドクラスは、更に２つの周波数帯（プライマリとセカンダリ）に分けられているものもあり、携帯電話機１は、このように多種の通信システム（周波数帯）の中から選択し、通信を行う。
【００３４】
メイン通信部４０は、メインアンテナ４１０、分波器４２０、パワーアンプ４３０、送信回路部４４０、および受信回路部４５０を備え、上記通信システムとの信号の送受信を担っている。
【００３５】
送信回路部４４０により出力される送信信号は、パワーアンプ４３０により増幅され、分波器４２０を通り、メインアンテナ４１０を介して無線により通信システムへ送信される。また、メインアンテナ４１０を介して受信した受信信号は、受信回路部４５０に入力され、ＣＰＵ６０が受信信号に応じた処理を行う。
【００３６】
サブ通信部５０は、サブアンテナ５１０および受信回路部５５０を備え、上記通信システムからの信号の受信を担っている。サブアンテナ５１０を介して受信回路部５５０に入力された受信信号は、ＣＰＵ６０が処理を行う。
【００３７】
ＣＰＵ６０は、アンテナ制御部６１０とチャネル処理部６２０を備えている。アンテナ制御部６１０は、チャネル処理部６２０からの指令信号に従って、メイン通信部４０およびサブ通信部５０における周波数の割り当て処理を行っている。ここで、受信回路部４５０および５５０はそれぞれに局部発振器を有しているため、同時に異なる周波数を選択することができる。
【００３８】
そして、チャネル処理部６２０が、メイン通信部４０およびサブ通信部５０をそれぞれ制御することにより、後述するように、本発明に係るリセレクション処理を実現する。
【００３９】
ここで、システムとは、周波数だけでなく、わずかにプロトコルも異なるバンドクラスを示しているが、説明の簡単のため、周波数の違いとして以下で扱う。
【００４０】
［リセレクション動作］
図５は、通信端末によるリセレクション動作の流れを示す図である。
【００４１】
通信端末は、非優先システムの待ち受けを行っている際、リセレクションに関するタイマの満了に伴い、優先システムの捕捉処理を開始する。なお、タイマは、待ち受けの開始によりカウントが始まり、所定の時間で満了するものであって、例えば通話終了等のイベント直後には満了までの時間を短くする等、予め設定しておくことができる。これにより、通信端末は、周期的にリセレクション動作を繰り返し、より優先度の高いシステムとの通信を試みる。
【００４２】
ここで、通信システムの優先順位は、例えば図６に示す優先順位テーブルにより記憶する。優先順位テーブルには、通信システムを示すバンドクラス（周波数帯）およびプライマリ／セカンダリ区分の組み合わせに、優先順位を付けて記憶している。通信端末は、この優先順位に沿って、順に対応する通信システムの捕捉を試みる。この例では、優先順位が１位（最優先システム）である「バンドクラス６」の「プライマリ」との通信が確立した場合には、以降のリセレクションは不要となる。
【００４３】
なお、従来のリセレクションの方式によれば、図５に示すように、非優先システムの待ち受けを行っている通信部がリセレクション（優先システムの捕捉）を行うため、リセレクションの実行中は、通信システムとの接続が途絶え、圏外状態となってしまう。
【００４４】
［第１の実施形態］
図７〜１０は、本発明の好適な実施形態の一例に係る携帯電話機１における、リセレクション動作を表す図である。まず、図７に処理フローを示す。ここで、携帯電話機１は、非優先システム（優先順位が１位以外の通信システム）の待ち受けを行っているものとする。
【００４５】
ステップＳ１０１では、ＣＰＵ６０は、リセレクションのタイマが満了したか否かを判別する。タイマが満了していない場合には、リセレクションのタイミングではないため、本処理を終了する。
【００４６】
ステップＳ１０２では、ＣＰＵ６０は、メイン通信部４０にて行っている非優先システムの待ち受け処理を、サブ通信部５０に切り替える。これにより、非優先システムの待ち受けを継続しつつ、メイン通信部４０にて、別チャネルの処理が可能となる。
【００４７】
ステップＳ１０３では、ＣＰＵ６０は、メイン通信部４０にて優先システムの捕捉を開始する。具体的には、例えば図６の優先順位テーブルにおいて、待ち受け中の通信システムより優先順位が上位のものについて、順に捕捉処理を試みる。
【００４８】
ステップＳ１０４では、ＣＰＵ６０は、サブ通信部５０にて待ち受けを行っている非優先システムにおいて、着信があるか否かを判別する。具体的には、例えばＣＤＭＡ２０００＿１ｘのページングチャネル受信により、着信データを受信すると、着信のあった非優先システムとの通信を開始するため、ステップＳ１１０に処理を移す。
【００４９】
ステップＳ１０５では、ＣＰＵ６０は、ステップＳ１０４における着信がないまま、優先システムの捕捉処理が完了したか否かを判別する。当該捕捉処理の成功／失敗によらず、ステップＳ１０３にて開始した捕捉処理が完了すると、ステップＳ１０６に処理を移す。捕捉処理が完了していない場合には、ステップＳ１０４およびＳ１０５の判別を繰り返す。
【００５０】
ステップＳ１０６では、ＣＰＵ６０は、ステップＳ１０３にて開始した優先システムの捕捉が成功したか否かを判別する。捕捉に成功し、優先システムとの通信が可能である場合には、ステップＳ１０７に処理を移す。一方、捕捉に失敗し、優先システムとの通信が不可能である場合には、ステップＳ１０９に処理を移す。
【００５１】
ステップＳ１０７では、ＣＰＵ６０は、ステップＳ１０６にて成功と判別した優先システムの待ち受け処理をメイン通信部４０にて開始する。
【００５２】
ステップＳ１０８では、ＣＰＵ６０は、ステップＳ１０７にて優先システムの待ち受けを開始したことに伴い、サブ通信部５０に切り替えていた非優先システムの待ち受け処理を終了する。
【００５３】
これにより、非優先システムの待ち受けを中断することなく、優先システムのリセレクションに成功したことになる。その結果、携帯電話機１は、圏外状態となる時間を、サブ通信部５０への切り替えに要する時間に短縮することができ、着信を逃す等の待ち受けトラブルを減らすことができる。
【００５４】
ステップＳ１０９では、ＣＰＵ６０は、優先システムの捕捉に失敗したため、サブ通信部５０に切り替えた非優先システムの待ち受けを、再びメイン通信部４０に切り替える。
【００５５】
これにより、リセレクションに失敗した場合においても、非優先システムの待ち受けを継続することができ、サブ通信部５０を利用することにより、同期が確立している通信システムの待ち受けを中断することなくリセレクションを試みることができる。
【００５６】
ステップＳ１１０では、ＣＰＵ６０は、ステップＳ１０４にて音声通話等の着信を捉えたことに応じて、メイン通信部４０にて行っている優先システムの捕捉処理を終了する。
【００５７】
ステップＳ１１１では、ＣＰＵ６０は、サブ通信部５０に切り替えた非優先システムの待ち受けをメイン通信部４０に再び切り替える。
【００５８】
ステップＳ１１２では、ＣＰＵ６０は、メイン通信部４０にて非優先システムによる着信処理を行う。これにより、送信および受信の双方が可能なメイン通信部４０を使用して、音声通話等の通信処理が可能となる。すなわち、リセレクションを行いつつも、待ち受けを継続し、着信を監視することができる。
【００５９】
図８に、優先システムの捕捉に成功し、当該優先システムの待ち受けに移行する流れを示す。
【００６０】
携帯電話機１は、タイマ満了に伴い、非優先システムの待ち受け中断を避けるため、サブ通信部５０にて非優先システムの待ち受けを引き継ぎ、メイン通信部４０において、優先システムの捕捉（リセレクション）を行う。
【００６１】
その後、メイン通信部４０にて優先システムの捕捉に成功すると、メイン通信部４０により、優先システムの待ち受けを開始する。
【００６２】
図９に、優先システムの捕捉に失敗し、非優先システムの待ち受けを継続する流れを示す。
【００６３】
携帯電話機１は、図８と同様に、タイマ満了に伴って、非優先システムの待ち受け中断を避けるため、サブ通信部５０にて非優先システムの待ち受けを引き継ぐ。そして、メイン通信部４０により、優先システムの捕捉を試みる。
【００６４】
その後、メイン通信部４０にて優先システムの捕捉処理が完了した際に、いずれの通信システムとも同期を確立できなかった場合、メイン通信部４０にて、非優先システムの待ち受けを再び開始する。
【００６５】
図１０に、優先システムの捕捉を実行中に音声着信を捉えた場合の、着信処理への流れを示す。
【００６６】
携帯電話機１は、図８または図９と同様に、タイマ満了に伴って、非優先システムの待ち受け中断を避けるため、サブ通信部５０にて非優先システムの待ち受けを引き継ぐ。そして、メイン通信部４０により、優先システムの捕捉を試みる。
【００６７】
その後、サブ通信部５０により待ち受け中の非優先システムにおいて着信を捉えた場合、メイン通信部４０による優先システムの捕捉を終了する。そして、メイン通信部４０を非優先システムに切り替えた上で、ＣＰＵ６０は着信報知処理を行い、更に応答操作を検出すると、メイン通信部４０に、非優先システムにおける着信応答を送出させる。つまり、着信処理をメイン通信部４０にて開始する。
【００６８】
このように、着信処理はメイン通信部４０にて引き継ぐこととなるが、これは、サブ通信部５０において送信処理が出来ない制約によるものである。すなわち、サブ通信部５０が送信手段を有する構成であれば、サブ通信部５０にて着信処理を行うこともできる。
【００６９】
なお、メイン通信部４０は、着信処理を終了（着信呼び出し終了、または通話終了）すると、完了出来なかった優先システムの捕捉を再開することとしてよい。あるいは、非優先システムの待ち受けを継続し、タイマのカウントを開始することにより、当該タイマの満了を待ってリセレクションを行うこととしてもよい。
【００７０】
［第２の実施形態］
図１１〜１４は、本発明の好適な実施形態の一例に係る携帯電話機１における、リセレクション動作の別の態様を表す図である。まず、図１１に処理フローを示す。ここで、携帯電話機１は、非優先システム（優先順位が１位以外の通信システム）の待ち受けを行っているものとする。
【００７１】
ステップＳ２０１では、ＣＰＵ６０は、ステップＳ１０１と同様に、リセレクションのタイマが満了したか否かを判別する。タイマが満了していない場合には、リセレクションのタイミングではないため、本処理を終了する。
【００７２】
ステップＳ２０２では、ＣＰＵ６０は、サブ通信部５０にて優先システムの捕捉を開始する。具体的には、ステップＳ１０３と同様に、待ち受け中の通信システムより優先順位が上位のものについて、順に捕捉処理を試みる。
【００７３】
ステップＳ２０３では、ＣＰＵ６０は、メイン通信部４０にて待ち受けを行っている非優先システムにおいて、着信あるいは発信の要求があるか否かを判別する。具体的には、ステップＳ１０４と同様に、着信データを受信すると、着信のあった非優先システムとの通信を開始するため、ステップＳ２０９に処理を移す。
【００７４】
ステップＳ２０４では、ＣＰＵ６０は、ステップＳ１０５と同様に、ステップＳ２０３における着信がないまま、優先システムの捕捉処理が完了したか否かを判別する。捕捉処理が完了すると、ステップＳ２０５に処理を移し、捕捉処理が完了していない場合には、ステップＳ２０３およびＳ２０４の判別を繰り返す。
【００７５】
ステップＳ２０５では、ＣＰＵ６０は、ステップＳ１０６と同様に、ステップＳ２０２にて開始した優先システムの捕捉が成功したか否かを判別する。捕捉に成功した場合には、ステップＳ２０６に処理を移す。一方、捕捉に失敗した場合には、ステップＳ２０８に処理を移す。
【００７６】
ステップＳ２０６では、ＣＰＵ６０は、優先システムの捕捉に成功したことに伴い、メイン通信部４０にて行っている非優先システムの待ち受け処理を終了する。
【００７７】
ステップＳ２０７では、ＣＰＵ６０は、ステップＳ２０５にて捕捉成功と判別した優先システムの待ち受け処理をサブ通信部５０からメイン通信部４０に切り替える。これにより、捕捉に成功した優先システムと、送受信可能なメイン通信部４０にて通信することが可能となる。
【００７８】
このようにして、ＣＰＵ６０は、非優先システムの待ち受けを中断することなく、優先システムのリセレクションに成功したことになる。その結果、携帯電話機１は、圏外状態となる時間を、サブ通信部５０からメイン通信部４０へ待ち受け処理を切り替えるのに要する時間に短縮することができ、着信を逃す等の待ち受けトラブルを減らすことができる。
【００７９】
ステップＳ２０８では、ＣＰＵ６０は、サブ通信部５０による優先システムの捕捉に失敗したため、メイン通信部４０にて継続している非優先システムの待ち受けを続行する。
【００８０】
これにより、リセレクションに失敗した場合においても、非優先システムの待ち受けを継続することができ、サブ通信部５０を利用することにより、同期が確立している通信システムの待ち受けを中断することなくリセレクションを試みることができる。
【００８１】
ステップＳ２０９では、ＣＰＵ６０は、ステップＳ２０３にて音声通話等の着信を捉えたこと、あるいは発信処理の発生に応じて、当該発着信の処理を優先させるために、メイン通信部４０にて行っている優先システムの捕捉処理を終了する。
【００８２】
ステップＳ２１０では、ＣＰＵ６０は、メイン通信部４０にて非優先システムによる着信処理または発信処理を行う。これにより、送信および受信の双方が可能なメイン通信部４０を使用して、音声通話等の通信処理が素早く可能となる。すなわち、リセレクションを行いつつも、待ち受けを継続し、着信および発信を監視することができる。
【００８３】
図１２に、優先システムの捕捉に成功し、当該優先システムの待ち受けに移行する流れを示す。
【００８４】
携帯電話機１は、タイマ満了に伴い、非優先システムの待ち受け中断を避けるため、サブ通信部５０にて優先システムの捕捉（リセレクション）を行う。
【００８５】
その後、サブ通信部５０にて優先システムの捕捉に成功すると、メイン通信部４０が優先システムの待ち受けを引き継ぐ。
【００８６】
図１３に、優先システムの捕捉に失敗し、非優先システムの待ち受けを継続する流れを示す。
【００８７】
携帯電話機１は、図１２と同様に、タイマ満了に伴って、非優先システムの待ち受け中断を避けるため、サブ通信部５０にて優先システムの捕捉を試みる。
【００８８】
その後、サブ通信部５０にて優先システムの捕捉処理が完了した際に、いずれの通信システムとも同期を確立できなかった場合、メイン通信部４０にて、非優先システムの待ち受けを継続する。
【００８９】
図１４に、優先システムの捕捉を実行中に音声着信を捉えた場合の、着信処理への流れを示す。
【００９０】
携帯電話機１は、図１２または図１３と同様に、タイマ満了に伴って、非優先システムの待ち受け中断を避けるため、サブ通信部５０にて優先システムの捕捉を試みる。
【００９１】
その後、メイン通信部４０により待ち受け中の非優先システムにおいて着信を捉えた場合、サブ通信部５０による優先システムの捕捉を終了する。そして、ＣＰＵ６０は着信報知処理を行い、更に応答操作を検出すると、メイン通信部４０に、非優先システムにおける着信応答を送出させる。つまり、着信処理をメイン通信部４０にて開始する。
【００９２】
このように、非優先システムの待ち受けを、送信および受信が可能なメイン通信部４０にて継続しているため、発信動作も必要となる着信処理を引き続き行うことができる。
【００９３】
なお、メイン通信部４０は、着信処理を終了（着信呼び出し終了、または通話終了）すると、非優先システムの待ち受けを再開することとしてよい。このとき、タイマのカウントを新たに開始し、当該タイマの満了を待ってリセレクションを行ってもよいし、サブ通信部５０にて直ちに優先システムの捕捉を開始してもよい。
【００９４】
以上、本発明の実施形態について説明したが、本発明は上述した実施形態に限るものではない。また、本発明の実施形態に記載された効果は、本発明から生じる最も好適な効果を列挙したに過ぎず、本発明による効果は、本発明の実施形態に記載されたものに限定されるものではない。
【図面の簡単な説明】
【００９５】
【図１】携帯電話機を開いた状態（第１開状態）における正面図である。
【図２】（Ａ）携帯電話機を開いた状態における左側面図、（Ｂ）携帯電話機を開いた状態における右側面図である。
【図３】携帯電話機を開いた状態における背面図である。
【図４】本発明の好適な実施形態の一例に係る携帯電話機の各機能を表すブロック図である。
【図５】通信端末によるリセレクション動作の流れを示す図である。
【図６】本発明の好適な実施形態の一例に係る優先順位テーブルを示す図である。
【図７】本発明の好適な実施形態の一例に係る携帯電話機において、メイン通信部でリセレクションを行う場合のフローチャートである。
【図８】本発明の好適な実施形態の一例に係る携帯電話機において、メイン通信部で優先システムの捕捉に成功した場合の動作の流れを示す図である。
【図９】本発明の好適な実施形態の一例に係る携帯電話機において、メイン通信部で優先システムの捕捉に失敗した場合の動作の流れを示す図である。
【図１０】本発明の好適な実施形態の一例に係る携帯電話機において、メイン通信部でリセレクションを実行中に音声着信を捉えた場合の動作の流れを示す図である。
【図１１】本発明の好適な実施形態の一例に係る携帯電話機において、サブ通信部でリセレクションを行う場合のフローチャートである。
【図１２】本発明の好適な実施形態の一例に係る携帯電話機において、サブ通信部で優先システムの捕捉に成功した場合の動作の流れを示す図である。
【図１３】本発明の好適な実施形態の一例に係る携帯電話機において、サブ通信部で優先システムの捕捉に失敗した場合の動作の流れを示す図である。
【図１４】本発明の好適な実施形態の一例に係る携帯電話機において、サブ通信部でリセレクションを実行中に音声着信を捉えた場合の動作の流れを示す図である。
【符号の説明】
【００９６】
１  携帯電話機
４０  メイン通信部
５０  サブ通信部
６０  ＣＰＵ
４１０  メインアンテナ
４２０  分波器
４３０  パワーアンプ
４４０  送信回路部
４５０  受信回路部
５１０  サブアンテナ
５５０  受信回路部
６１０  アンテナ制御部
６２０  チャネル処理部
【図１】
0005383982.tif 000002
【図２】
0005383982.tif 000003
【図３】
0005383982.tif 000004
【図４】
0005383982.tif 000005
【図５】
0005383982.tif 000006
【図６】
0005383982.tif 000007
【図７】
0005383982.tif 000008
【図８】
0005383982.tif 000009
【図９】
0005383982.tif 000010
【図１０】
0005383982.tif 000011
【図１１】
0005383982.tif 000012
【図１２】
0005383982.tif 000013
【図１３】
0005383982.tif 000014
【図１４】
0005383982.tif 000015